(57)【特許請求の範囲】
【請求項１】
サッシ下枠のレール部の高さと、その室外に設ける集水部の高さを室内床面の高さと略同等に形成した出入口サッシであって、サッシ下枠の室外側に突出する突出部の下部に該突出部を支持する受金具を配置し、該受金具により集水部に設けたグレーチングのサッシ下枠側の縁部を支持するようにしたことを特徴とする出入口サッシの支持装置。
【請求項２】
サッシ下枠にレール部を支持する下枠支持部を形成し、該下枠支持部に受金具を装着したことを特徴とする請求項１記載の出入口サッシの支持装置。
【請求項３】
受金具に上下連通部を形成したことを特徴とする請求項１又は２記載の出入口サッシの支持装置。
【請求項４】
サッシ下枠にその長さ方向に沿って排水溝部を形成すると共に該排水溝部に排水溝部内の水圧により室外側に開となる排水弁を設けたことを特徴とする請求項１〜３記載のいずれか１つの出入口サッシの支持装置。
【発明の詳細な説明】
【０００１】
【発明の属する技術分野】
本発明は、車椅子等でも出入りが容易な室内外の出入口に配置されるサッシの下枠支持装置に関するものである。
【０００２】
【従来の技術】
建物躯体に形成した出入口に開閉障子用のサッシを設け、その室外側に集水部を設けてその上部にグレーチングを配置する技術は公知である。
【０００３】
【発明が解決しようとする課題】
近年、人口の高齢化に伴い住宅の設計に高齢者あるいは身体障害者向けの種々の配慮が成されている。
例えば、図３に示すような、建物の躯体１にサッシＳを取付けて内外障子２、３を開閉自在に配置する技術を本出願人は先願技術として提案している。
即ち、本出願人は、サッシ下枠４のレール部５の上端を室内床面６と略同一平面に配置し、また集水部７のグレーチング８の上面をレール部５の上端部と同じ高さに配置することによって車椅子の出入りを容易とし、しかもサッシ下枠４の下部に設けた排水溝部９をレール部５上面と連通させ、排水溝部９の雨水（以下単に水という）を排水弁１０を介して流下させ、更に集水部７側の通水孔１１及び排水口１２から配水管１３を通して排水する技術を提案している。
なお、上記排水弁１０は、排水溝部９中に溜まった水の圧力で開となる以外は重力で或いは重力に加わる弾性力により閉となっている。
【０００４】
上記先願技術において、例えば車椅子でサッシ下枠４上を通過するとき、サッシ下枠４の室外側に突出する網戸レール部１４ａ基部の突出部１４が、出入りする人の体重や車椅子の重みによって矢印αに示すように撓んで下動することがある。
このような出入りする人の移動の度にサッシ下枠４の突出部１４が撓むと、長期間の使用により該部分が塑性変形するばかりでなく、最終的には破損するという問題がある。また、α方向のサッシ下枠４の撓みによりグレーチング８との間に段差ができてしまい、通行に支障が生ずることもある。
本発明の課題は上記の状況に鑑みて発明されたものであって、サッシ下枠の室外側突出部に大きな荷重が懸っても該部分が撓むことが少なく、併せて集水部の構造を簡略化することができる下枠支持装置を提供することにある。
【０００５】
【課題を解決するための手段】
上記課題を達成するため、
請求項１記載の発明に係る出入口サッシの支持装置は、サッシ下枠のレール部の高さと、その室外に設ける集水部の高さを室内床面の高さと略同等に形成した出入口サッシであって、サッシ下枠の室外側に突出する突出部の下部に該突出部を支持する受金具を配置し、該受金具により集水部に設けたグレーチングのサッシ下枠側の縁部を支持するようにしたことで、網戸レール部が位置する突出部とグレーチングとを単一の部材で支持することを特徴とする。
【０００６】
請求項２記載の発明に係る出入口サッシの支持装置は、上記手段において、サッシ下枠にレール部を支持する下枠支持部を形成し、該下枠支持部に受金具を装着したことで、サッシ下枠と受金具との一体化を図ることを特徴とする。
請求項３記載の発明に係る出入口サッシの支持装置は、請求項１又は２記載の手段において、受金具に、レール部内の水を集水部に排水させる上下連通部を形成したことで、雨水の通水性を維持することを特徴とする。
【０００７】
請求項４記載の発明に係る出入口サッシの支持装置は、請求項１〜３記載の手段のいずれかにおいて、サッシ下枠にその長さ方向に沿って排水溝部を形成すると共に該排水溝部に排水溝部内の水圧により室外側に開となる排水弁を設けたことでサッシ下枠部分の排水性と密閉性を同時に実現することを特徴とする。
【０００８】
【発明の実施の態様】
以下、本発明の実施例を図面を参照して説明する。
図１、２は本発明の実施例を示すものであり、サッシＳ及びサッシ下枠４の構成については図３に示す先願技術と基本的には同一である。なお、図３と同符号の図１、２の符号部分は図３記載の構成と同じものとする。
【０００９】
本実施例の特徴は、サッシ下枠４の下方に形成されている下枠支持部１５に受金具１６を付設した点にある。受金具１６は全体として水平断面においてΩ型に形成する。また、素材としては剛性の高い例えば鋼製又は鋳物製とし、その両端部に取付部１７・・を形成し上縁には受片１８を形成する。
上記受金具１６は、その取付部１７、１７によりサッシ下枠４の下枠支持部１５にビス１９・・により固定する。そして受金具１６の上縁によりサッシ下枠４の突出部１４を支持させると共に、受片１８、１８によりグレーチング８のサッシ下枠側の縁部８ａを支持するように構成する。従って、本実施例の集水部７は、図３に示すような集水枡２０を配置する必要はない。なお、グレーチング８の他端側は、モルタル等で構成される基礎２２のグレーチング受部２２ａに支持させる。上記受金具１６は通常、サッシ下枠４に最も荷重が係る部分の直下部に配置することが望ましく、通常は２ないし４個設ける。
【００１０】
上記構成において、例えばこの出入口を車椅子で人が通過する場合、室内床面６、レール部５上面及びグレーチング８の上面が略同一高さとなっているから段差がなく、スムースに通行することができる。
また、水がレール部５にある場合には、水はサッシ下枠４の排水溝部９から集水部７に円滑に排水される。更に、受金具１６にも上下連通部２１を形成したから、この上下連通部２１からも集水部７に排水される。
【００１１】
仮に、サッシ下枠４の室外側の網戸レール部１４ａ等の突出部１４に大きな荷重がかかっても、該突出部１４は受金具１６・・により支持されている。また、受金具１６・・は、グレーチング８の室内側の縁部８ａをも支持していることから、グレーチング８の室内側の縁部８ａの支持部材が不要となって集水部７の構成が簡単になる。その上、図３に示すような排水枡２０を配置する空間も必要がないから、集水部７の規模を小さくすることも可能である。なお、グレーチング８の支持手段として排水枡２０等を配置しても良い。
【００１２】
更に、グレーチング８の一方の端部８ａは受金具１６により、そしてもう一方の端部はアプローチ側の基礎２２に形成したグレーチング受部２２ａにより支持させことから集水枡２０を設ける必要がなく、またグレーチング８の特段の支持部材も必要がないことから、集水部７のモルタル仕上げ、サッシ部のシーリング等の作業が何時でも行えるようになり、作業がし易くなると同時に集水部及びサッシ下枠の保守管理が容易となる。
なお、上記実施例は、受金具１６をサッシ下枠４の下枠支持部１５に設けたが、サッシ下枠４とは別体として躯体１側に直接支持させてもよい。
また、受金具１６は水平断面Ω型に形成したが、他の形状、例えば半円弧状、方形状等に形成してもよい。
【００１３】
また、受片１８は、図１に示す例では左右に平坦面を形成させたが、これらを形成することなく、サッシ下枠４の支持と同様に受金具１６の上縁部で直接支持してもよい。また、グレーチング８の一方の端部８ａの下面形状として、受金具１６及び受片１８の形状に適合或いは嵌合する凹凸形状を形成しておけば、受金具１６に支持されるグレーチング８の安定性が高まり、ガタ付くことも少なくなる。
【００１４】
【発明の効果】
以上述べた構成により下記の効果を奏する。
１．請求項１記載の発明によれば、サッシ下枠の室外側に突出する突出部が受金具により支持されているから、該部分に大きな荷重がかかっても撓むことがなく、サッシ下枠の耐久性がよくなると共に、レール部上端と集水部の高さの均一が保たれる。また集水部の構成が簡略化する。
また、集水枡を設ける必要がなく、またグレーチングの支持を基礎及び受金具により行わせることから、集水部の仕上げ作業、例えば集水部のモルタル仕上げ、サッシ部のシーリング等の作業が何時でも行えるようになり、作業がし易くなると同時に集水部及びサッシ下枠の保守管理が容易となる。
【００１５】
２．請求項２記載の発明によれば、上記効果に加えて、受金具をサッシ下枠に装着したからサッシ下枠を出入口に配置する前にサッシ下枠に予め取付けておくことができ、サッシ枠敷設の簡略化が図れる。
３．請求項３記載の発明によれば、請求項１又は２記載の発明の効果に加えて、受金具を配置しても、レール部内やグレーチング上の水を速やかに上下連通部を通じて通水できる。
【００１６】
４．請求項４記載の発明によれば、請求項１〜３記載の発明の効果に加えて、サッシ下枠部分の排水性と密閉性を同時に実現するばかりでなく、排水弁は通常閉止していることから、排水弁から雨水が逆流することや風が吹き込むことが少なく、また、ネズミ、ゴキブリ等の小動物が侵入することも少ない。
【図面の簡単な説明】
【図１】本発明の実施例に係る出入口サッシの支持装置の部分斜視図。
【図２】同主要部の縦断面図。
【図３】先願技術に係る出入口サッシの主要部の断面図。
【符号の説明】
Ｓ・・・サッシ
α・・・（サッシ下枠突出部の）撓み方向
１・・・躯体
２・・・内障子
３・・・外障子
４・・・サッシ下枠
５・・・（サッシ下枠の）レール部
６・・・室内床面
７・・・集水部
８・・・グレーチング
８ａ・・・（グレーチングの室内側の）縁部
９・・・（サッシ下枠の）排水溝部
１０・・（サッシ下枠の）排水弁
１１・・（集水部の）通水孔
１２・・（集水部の）排水口
１３・・（集水部の）配水管
１４・・（サッシ下枠の）突出部
１４ａ・・（サッシ下枠の）網戸レール部
１５・・（サッシ下枠の）下枠支持部
１６・・受金具
１７・・（受金具の）取付部
１８・・（受金具の）受片
１９・・ビス（固着具）
２０・・集水枡
２１・・（受金具の）上下連通部
２２・・基礎
２２ａ・・グレーチング受部
【図１】
0003627399.tif 000002
【図２】
0003627399.tif 000003
【図３】
0003627399.tif 000004